(57)【特許請求の範囲】
【請求項１】
食品を、吊り下げ装飾しかつ揺動することができる立体物を組み立てるための展開シートであって、
該展開シートは、該展開シートの中心に位置する山折り線を対称軸として線対称で、本体部と脚部とが切り取り線を介して各々形成されており、
該本体部は、該展開シートの中心に位置する山折り線を対称軸として線対称で、一対の吊り下げ装飾部と底部とが山折り線を介して形成されており、
該吊り下げ装飾部には、突起部形成用の切込みが入れられ、両側に一対の差込み保持部が形成されており、該差込み保持部と該吊り下げ装飾部との境には一対の切込みが入れられており、
該底部には、脚部との境の切り取り線の中心位置に切込みが入れられており、
該脚部には、該切り取り線の対辺に略円弧状の辺が形成され、両側には一対の差込み部が山折り線を介して形成されてなる展開シート。
【請求項２】
請求項１記載の展開シートと、該展開シートから組み立てられた立体物の突起部に吊り下げ可能な懸下部を有する食品とを備えてなる組合せ食品。
【発明の詳細な説明】
【技術分野】
【０００１】
本発明は、食品を、吊り下げ装飾しかつ揺動することのできる立体物を組み立てるための展開シート及びそれを用いた組合せ食品に関し、さらに詳しくは、組み立てて得られる立体物が少しの力を加えるだけでゆりかごのように揺動し、この揺動に連動して該立体物に吊り下げ装飾した食品も揺動することができ、さらには食品の吊り下げや取り外しが容易に繰り返し行うことのできる立体物を組み立てるための展開シート及びそれを用いた組合せ食品に関する。
【背景技術】
【０００２】
近年の少子化に伴い、幼児、小児をターゲットとする食品市場は縮小傾向にあり、ひとりでも多くの購入者を獲得するための手段のひとつとして、幼児、小児を魅了する付加価値を高めた様々な食品が発売されている。例えば、既存のキャラクターとのコラボレーションによる食品、独自のブランド・キャラクターを有する食品、加水する、混ぜるというような単純な動作を行うことで購入者自身が調製する食品、或いは調製前後の色、態様等の変化を楽しむ食品、本物感を高めるために複数の食品で構成される集合体食品、食品に動きを持たせ、その動きを視覚的に楽しむ食品等が挙げられる。
【０００３】
上記のように、複数の食品で構成される集合体食品としては、例えば、菓子単体を単独で食べるのではなく、一つ一つの菓子を複数集めて一つの菓子にする集合体菓子が知られている（例えば、特許文献１参照。）。該集合体菓子は、特許文献１の図２のように木状軸５に設けた係止部３にみかんの実のグミキャンディー１を付けたり、図５のように木状軸５に設けた凹部８にクルミの実や葉のグミキャンディー１を係止させたものである。
【０００４】
しかしながら、該集合体菓子は、図２に記載の係止部３ではグミキャンディーの着脱を繰り返し行うことや複数のグミキャンディーを一つの係止部で係止させることは困難であった。また、既製の房状軸や木状軸を用いることから組み立てるという工作的な楽しさを体感することはできなかった。さらに、該集合体菓子では木状軸やグミキャンディーが揺動するという視覚的な楽しさも体感することはできなかった。
【０００５】
一方、食品に揺動という動きを持たせることで視覚的に楽しむことのできる組合せ食品としては、例えば、弾性菓子と、該弾性菓子を挟持するための挟持用治具とを備えてなる組み合わせ菓子が知られている（例えば、特許文献２参照。）。該組み合わせ菓子は、喫食者が、舌形状の弾性菓子を、動物の顔の上顎部分までの図柄を施した挟持用治具に挟着させ、一体化したときに、動物が舌を出しているような外観を呈し、挟持用治具を持って振ると弾性菓子が揺動し、あたかも、動物の舌が動いているかのような視覚的変化を楽しむことができるものである。
【０００６】
しかしながら、該組み合わせ菓子は、弾性菓子に挟持用治具を挟着するだけで組み合わせ菓子の組み立てが完成することから、工作的な楽しみが少なく改良の余地があった。
【先行技術文献】
【特許文献】
【０００７】
【特許文献１】特開平８−１３１０７８号公報
【特許文献２】実開平６−７４９０号公報
【発明の概要】
【発明が解決しようとする課題】
【０００８】
本発明は、以上のような事情に鑑みなされたものであって、その目的とするところは、食品を、吊り下げ装飾しかつ揺動することのできる立体物を組み立てるための展開シート及びそれを用いた組合せ食品に関し、さらに詳しくは、組み立てて得られる立体物が少しの力を加えるだけでゆりかごのように揺動し、この揺動に連動して該立体物に吊り下げ装飾した食品も揺動することができ、さらには食品の吊り下げや取り外しが容易に繰り返し行うことのできる立体物を組み立てるための展開シート及びそれを用いた組合せ食品を提供するにある。
【課題を解決するための手段】
【０００９】
本発明は、食品を、吊り下げ装飾しかつ揺動することができる立体物を組み立てるための展開シートであって、該展開シートは、該展開シートの中心に位置する山折り線を対称軸として線対称で、本体部と脚部とが切り取り線を介して各々形成されており、該本体部は、該展開シートの中心に位置する山折り線を対称軸として線対称で、一対の吊り下げ装飾部と底部とが山折り線を介して形成されており、該吊り下げ装飾部には、突起部形成用の切込みが入れられ、両側に一対の差込み保持部が形成されており、該差込み保持部と該吊り下げ装飾部との境には一対の切込みが入れられており、該底部には、脚部との境の切り取り線の中心位置に切込みが入れられており、該脚部には、該切り取り線の対辺に略円弧状の辺が形成され、両側には一対の差込み部が山折り線を介して形成されてなる展開シートにより上記目的を達成する。
【００１０】
好ましくは、上記展開シートと、該展開シートから組み立てられた立体物の突起部に吊り下げ可能な懸下部を有する食品とを備えてなる組合せ食品である。
【００１１】
すなわち、本発明者らは、幼児、小児を魅了できる付加価値のある食品を提供するために、喫食者自身が振ることで揺らすのではなく、簡単な仕掛けを喫食者自身が手作りして、食品が揺動するようにすれば、工作的な楽しみや視覚的な楽しみが得られると考え、鋭意検討を行った。その結果、少しの力を加えるだけで揺動する立体物を、幼児でも容易に組み立てることができる展開シートで提供すれば、遊戯性が付与されると考えた。また、その立体物に食品を吊り下げ装飾し、立体物の揺動と連動して吊り下げ装飾された食品も揺動されるようにすると、組み立てる楽しさと遊戯性、食べる楽しさを付与されるのではないかと考えた。
【００１２】
そこで、立体物としたときの接地形状が略円弧状の辺となるよう展開シートを設計すると、少しの力を加えるだけで立体物自身のゆりかごのような揺動が可能となった。また、立体物の表面に突起を設けると、食品の吊り下げや取り外しが容易に繰り返し行うことのできる吊り下げ装飾が可能となった。このような立体物を組み立てるために、立体物を成形する部材となる吊り下げ装飾部及び底部からなる本体部と脚部とを形成する展開シートとすること、さらに該展開シートと、設けられた突起に吊り下げ可能な食品を組合せることにより本発明に到達した。
【発明の効果】
【００１３】
本発明の展開シートは、一部を切り離し、シート本体を折り曲げたのち、切り離した部分を差し込むという簡単な操作だけで、立体成形され、ゆりかごのような揺動を行う立体物となるよう設計しているので、糊などの接着剤も必要とせず、展開シートのみで該立体物に組み立てることができる。
【００１４】
また、展開シートは、立体物を成形する部材となる本体部と脚部とが左右対称となっており、折り曲げや切り離し、差し込みといった簡単な操作で立体化できるよう設計しているので、幼児でも短時間で組み立てることができる。
【００１５】
また、展開シートの状態では、完成後の立体物が分からないので、組み立てながら出来上がる形状を楽しむという工作的な楽しみがある。
【００１６】
また、本発明の展開シートに係る立体物は、突起部を有するので、懸下部を有する食品を吊り下げることが可能であり、ひとつの突起部に１個或いは複数個の食品を、複数の突起部に１個或いは複数個の食品等、適宜自由に吊り下げ装飾することができる。また、該突起部は表面に折り出し形成されていることから、該食品の吊り下げや取り外しを容易に繰り返し行うことができる。
【００１７】
本発明の展開シートにより組み立てられる立体物は、接地形状が略円弧状であることから、少しの力を加えるだけでゆりかごのような揺動が可能となり、該立体物に吊り下げ装飾された食品もまた、立体物の揺動に連動して揺動する。
【００１８】
本発明の組合せ食品は、展開シートから立体物を組み立てる、組み立てた該立体物に懸下部を有する食品を吊り下げ装飾するという動作によって工作的に楽しむことができる。
【００１９】
本発明の組合せ食品は、展開シートから組み立てられた立体物が、少しの力を加えるだけでゆりかごのように揺動し、該立体物の揺動に連動して吊り下げ装飾された食品もまた揺動することにより、両者の揺動を視覚的に楽しむことができ、遊戯性の付与された組合せ食品とすることができる。
【００２０】
また、吊り下げる食品の重量や位置を変えると、力を加えなくとも長時間揺動させることができる。
【図面の簡単な説明】
【００２１】
【図１】本発明の一例を示す展開シート
【図２】本発明の展開シートから組み立てられた立体物の一例の斜視図
【発明を実施するための形態】
【００２２】
本発明を詳しく説明する。
本発明の展開シートは、食品を、吊り下げ装飾しかつ揺動することができる立体物を組み立てるための展開シートである。
【００２３】
本発明の展開シートを、図１及び図２を用いて説明する。
図１は本発明の展開シートの一例を示す図で、該展開シート１は、該展開シート１の長手方向に、本体部１１と該本体部１１の両端に脚部１２ａ、１２ｂが各々形成されており、該本体部１１は吊り下げ装飾部１３（１３ａ、１３ｂ）と底部１４（１４ａ、１４ｂ）とが形成されている。
【００２４】
図２は、本発明の展開シートから組み立てられた立体物の一例の斜視図で、該立体物２には、吊り下げ装飾部１３ａ表面から折り出し形成された突起部２１に吊り下げ可能な懸下部を有する食品３が吊り下げ装飾されている。
【００２５】
まず、図１に示すように、展開シート１に形成されている本体部１１と脚部１２（１２ａ、１２ｂ）は、図２に示すような立体物２を成形する部材となるものであり、該展開シート１の中心に位置する山折り線Ａを対称軸として線対称で、該本体部１１と該脚部１２ａ、１２ｂとが切り取り線Ｂ１、Ｂ２を介して形成されている。そして、該脚部１２ａ、１２ｂは切り取り線Ｂ１、Ｂ２で各々切り離して用いるようになっている。なお、図１の他に、図１における長手方向の長さが図１の短手方向の長さより短くなってもよい。
【００２６】
次に、該本体部１１は吊り下げ装飾部１３（１３ａ、１３ｂ）と底部１４（１４ａ、１４ｂ）とで形成されており、詳細には、展開シート１の中心に位置する山折り線Ａを対称軸として線対称で、一対の吊り下げ装飾部１３と底部１４（１３ａと１４ａ、１３ｂと１４ｂ）とが山折り線Ｃ（Ｃ１、Ｃ２）を介して形成されている。
【００２７】
該吊り下げ装飾部１３ａ、１３ｂには突起部２１形成用の切込みＤが入れられており、この切込みＤに沿って谷折り線Ｈで折り上げることにより、図２に示すように吊り下げ装飾部１３ａ表面に爪状の突起部２１が折り出し形成されるようになっている。また、展開シート１の中心に位置する山折り線Ａを折り曲げ、山折り線Ａを境にして形成された２面の吊り下げ装飾部１３ａ、１３ｂ表面に各々、突起部２１を折り出し形成することで、食品の吊り下げや取り外しを容易に繰り返し行うことのできる吊り下げ部位とすることができる。
【００２８】
該突起部２１の長さは、吊り下げ装飾に用いる懸下部を有する食品３の厚みを考慮して設定すればよく、この長さを調整することで、食品を１個だけでなく複数個吊り下げたり、食品の大きさや重さを変えることができる。また、該突起部２１の数や位置は、必ずしも図１のように山折り線Ａを対称軸として線対称に設計する必要はなく、吊り下げ装飾部１３に懸下部を有する食品３が吊り下げ装飾されたときのバランスを考慮して山折り線Ａの中心点（図示せず）の点対称に設計する、喫食者に食品の吊り下げ装飾によってバランスをとることを委ねるために、敢えて非対称に設計する等、適宜設定すればよい。
【００２９】
さらに、該吊り下げ装飾部１３ａ、１３ｂには、両側に一対の差込み保持部２２（２２ａと２２ａ´、２２ｂと２２ｂ´）が形成されており、該差込み保持部２２と該吊り下げ装飾部１３との境には一対の切込みＥ（Ｅ１とＥ１´、Ｅ２とＥ２´）が入れられている。これらは、該吊り下げ装飾部１３と後述する脚部１２とを連結させるための部位であり、具体的には、該切込みＥに、予め切り取り線Ｂ１、Ｂ２で各々切り離した脚部１２ａ、１２ｂに形成された差込み部２３（２３ａ、２３ａ´、２３ｂ、２３ｂ´）を山折り線Ｆで折って差込み連結できるようになっている。
【００３０】
次に、該底部１４ａ、１４ｂには各々、脚部１２との境の切り取り線Ｂ１、Ｂ２の中心位置に切込みＧ１、Ｇ２が入れられている。この切込みＧ１、Ｇ２は、切り取り線Ｂで脚部１２を切り離した後該切込みＧ１とＧ２とを互いに差込み合うことで、吊り下げ装飾部１３ａ、１３ｂの２面を、山折り線Ａを頂点とする三角柱形状に立体化する。該切込みＧ同士を互いに差込み合う構造を採用することにより、底部の重量が増し、該立体物の重心が下がることで、ゆりかごのような揺動を長く楽しむことができる。
【００３１】
次に、該脚部１２ａ、１２ｂには各々、切り取り線Ｂ１、Ｂ２の対辺に略円弧状の辺Ｐ１、Ｐ２が形成され、両側には一対の差込み部２３（２３ａと２３ａ´、２３ｂと２３ｂ´）が山折り線Ｆを介して形成されている。該差込み部２３は、該脚部１２を切り取り線Ｂで本体部１１から切り離した後、吊り下げ装飾部１３の切込みＥに差込み連結するための挿入部位となる。例えば、図２のような立体物の差込み連結の一例を挙げると、差込み部２３ａを切込みＥ２に、差込み部２３ａ´を切込みＥ１に、差込み部２３ｂを切込みＥ２´に、差込み部２３ｂ´を切込みＥ１´に挿入すればよい。なお、図２では脚部１２を、吊り下げ装飾部１３表面に対し垂直方向に差込み連結しているが、他に水平方向に差込み連結してもよい。
【００３２】
この差込み連結によって、上記立体化された本体部１１は立体物２として成形される。なお、切り取り線Ｂの長さは、本体部１１が立体物２として安定するような長さに設定すればよい。また、図２に示すように、該略円弧状の辺Ｐ１、Ｐ２は、差込み連結によって
成形された立体物２の底辺となることで、少しの力を加えるだけで略円弧状の辺Ｐの形状に沿って立体物２がＱ方向に揺動する。適度な揺動を得るには、略円弧状の中心角は３０〜６０度が好ましい。
【００３３】
また、該展開シート１の材質としては、例えば、板紙等の紙が挙げられる。
【００３４】
なお、本発明の展開シート１に係る吊り下げ装飾部１３には、描画を施してもよい。例えば、複数の樹木が林立する森林、１本の樹木、数本の樹木、ブドウの房、開花した花、お菓子の家、森の小道、空・雲・海・波・海岸・砂浜等の風景、シーソー・木馬等の遊具、やじろべえ等の描画が挙げられる。
【００３５】
次に、図１の本発明の展開シート１から、立体物２を組み立てる一例について、図２を用いて説明する。
まず、図１において、展開シート１の本体部１１から、その両端に配置された一対の脚部１２をそれぞれ切り離す。次に、吊り下げ装飾部１３の、突起部２１形成用の切込みＤを谷折り線Ｈで折り上げて、吊り下げ装飾部１３の表面から爪状の突起部２１を折り出し形成させる。次に、該本体部１１における山折り線Ａ、Ｃを山折りすることで、山折り線Ａを境に吊り下げ装飾部１３を１３ａと１３ｂの２面形成させる。さらに、該吊り下げ装飾部１３と差込み保持部２２との境を切込みＥに沿って山折りする。
【００３６】
次に、底部１４各々に入れられている切込みＧ同士を互いに差込む。こうすることで、吊り下げ装飾部１３の１３ａと１３ｂの２面を、山折り線Ａを頂点とする三角柱形状に立体化する。最後に、先に切り離した脚部１２と差込み部２３との境にある山折り線Ｆを山折りしてから、該差込み部２３を吊り下げ装飾部１３の切込みＥに挿入し差込み連結する。この差込み連結により、上記立体化された本体部１１を立体物２として成形し、図２のような立体物２を組み立てる。
【００３７】
また、図２では、脚部１２ａ、１２ｂに形成される略円弧状の辺Ｐ１、Ｐ２は、垂直方向の差込み連結によって成形された立体物２の底辺となっており、少しの力を加えるだけでこの略円弧状の辺Ｐ１、Ｐ２の形状に沿って立体物２自身がＱ方向に揺動する。また、水平方向に差込み連結した場合は、立体物２はＬ方向に揺動する。
【００３８】
さらに、組み立てられた立体物２に折り出し形成された該突起部２１には、任意の食品などを装着することができ、装着方法としては、粘弾性食品を突き刺す、懸下部を有する食品を吊り下げる等が挙げられるが、好適には、懸下部を有する食品を用いると、組み立てられた立体物の揺動と連動して該食品も容易に揺動する、良好な装飾性を有する点で望ましい。
【００３９】
また、該食品は、家庭にあるものを用いてもよいが、好ましくは描画を施した展開シートと懸下部を有する食品とをセットにした組合せ食品とすると、展開シートの描画の色、柄、模様と食品の形状を関連付けた意匠とすることができ、さらに興趣に富んだ遊戯性を付与できる点で好適である。
【００４０】
本発明の組合せ食品は、図１のような展開シート１と、図２に示されているように、立体物２の突起部２１に吊り下げ可能な懸下部を有する食品３とを備えてなる。
【００４１】
まず、懸下部を有する食品３とは、食品の一部に、立体物２の突起部２１に吊り下げが可能な形状を有する食品であれば良い。吊り下げが可能な形状とは、例えば、輪、鉤等の形状が挙げられる。具体的には、図２の懸下部を有する食品３のように、サル様の食品において尾を用いて輪形状とするものが挙げられる。ほかには、例えば、サル様の食品の両
手を輪形状とする、サル様の食品の片手や尾を鉤形状にする、リンゴ様・ブドウ様等の食品の柄を鉤形状にする、ドーナツ形状にする、リボン形状にする等が挙げられる。その他に、食品とは異素材のプラスチック等の非食性の吊り下げ治具を取り付けた食品であってもよいが、好ましくは、食品そのもので懸下部を有することが誤食を防止する点で望ましい。
【００４２】
該食品としては、ソーセージ、かまぼこ等の練り製品、ソフトキャンディ、チューインガム、ゼリー菓子（グミ、ゼリービーンズ等）、マジパン等の粘弾性食品、ビスケット、クラッカー、乾パン、プレッツェル等の焼成食品、ハードキャンディ、チョコレート等の油脂性菓子、ラムネ等の硬質菓子、スナック等の膨化菓子等、広く一般的な食品が挙げられる。好ましくは、ソフトキャンディ、チューインガム、ゼリー菓子、マジパン等の粘弾性食品が、立体物への吊り下げ装飾しやすい形状に加工しやすく、かつ揺動の際に落下しても崩れ難い点で好適である。
【００４３】
該食品の形状としては、好ましくは、展開シート１の吊り下げ装飾部１３の描画と合わせたものを用いると、吊り下げ装飾部１３の描画と吊り下げ装飾された食品による一体感により、より顕著に両者の揺動を視覚的に楽しむことができる点で好適である。例えば、吊り下げ装飾部１３を複数の樹木が林立する森林の描画にして、サル様の食品を吊り下げ装飾する。ほかに、１本や数本の樹木の描画にリンゴ・ブドウ等の木の実様の食品を、ブドウの房の描画にブドウ粒様の食品を、開花した花の描画にミツバチ様の食品を、お菓子の家の描画にプレッツェル等の焼成食品を、空や雲の風景の描画に飛行機様の食品を、海や波の風景の描画にヨット様の食品などを合わせることが挙げられる。
【００４４】
本発明に係る懸下部を有する食品として、例えばソフトキャンディの場合、次のようにして製造する。
まずゼラチンと水とを除く原料をニーダーに投入し、加温する。次に予め水で膨潤したゼラチンを加え、ゼラチンが全体に均一に分散する程度まで攪拌混合してソフトキャンディ生地を調製する。次いで、該ソフトキャンディ生地を公知の方法で成形し、懸下部を有するソフトキャンディを得る。ここで、懸下部を有するソフトキャンディの成形方法としては、例えば、特開２０１３−７４８７４号公報の粘弾性食品片集合体の製造装置に、輪形状や鉤形状を有するノズル吐出口を用いて成形する方法、型抜き等で穿孔する方法等が挙げられる。
【００４５】
該ソフトキャンディの原料としては、糖類（単糖類、二糖以上の多糖類、糖アルコール等）、ゼラチン、副原料が挙げられる。副原料としては、油脂、酸味料、高甘味度甘味料、乳化剤、安定剤、着香料、着色料、乾燥果実、種実類、茶類・コーヒー等の各種風味原料、ビタミン類、ミネラル類、食物繊維、コラーゲン・ヒアルロン酸等の美肌成分等が挙げられ、これらは単独でも複数でも適宜選択して用いればよい。
【００４６】
ほかに、本発明に係る懸下部を有する食品として、例えばプレッツェルの場合、次のようにして製造する。
小麦粉、油脂、食塩、イースト、水をミキサーで混合しドウ生地を得る。これを約２９℃で３時間発酵させた後、エクストルーダー等を用いて棒状に押出し、アルカリ溶液に通した後、適当な長さに切断し輪形状に成形したものに食塩を振り掛けて焼成する。該プレッツェルの副原料として、上記ソフトキャンディの製造に用いた糖類や副原料をプレッツェルの製造に支障のない範囲で適宜選択して用いてもよい。
【００４７】
次に、本発明の組合せ食品の製品化は、例えば、次のようにして行われる。まず、展開シートを準備する。次に、懸下部を有する食品を調製後、適宜包装体で包装する。なお、該食品の包装体の材質は、好ましくは、アルミ、アルミ蒸着、ガラス蒸着等の防湿性があ
り、密封可能な材質であることが、包装後、食品が吸湿や乾燥しない点で好適である。そして、該展開シート及び上記包装体で包装した懸下部を有する食品を、例えば、ポリエチレン等の軟質なプラスチック袋や箱等に包装すればよい。
【００４８】
次に、本発明の組合せ食品は、例えば、図２のように、次のようにして使用される。まず、展開シート１から立体物２を組み立てる。次に、該立体物２の突起部２１に、懸下部を有する食品３を吊り下げ装飾する。なお、図２ではひとつの突起部２１に１個の懸下部を有する食品３が吊り下げ修飾されているが、吊り下げ装飾は適宜行うことができ、例えば、ひとつの突起部に複数個の食品、複数の突起部に１個或いは複数個の食品等、吊り下げ装飾は適宜自由に行えばよい。この後、吊り下げ装飾された立体物２に少しの力を加えると、脚部１２ａ、１２ｂに形成されている略円弧状の辺Ｐ１、Ｐ２の形状に沿って立体物２自身がＱ方向に揺動し、揺動する立体物２に連動して懸下部を有する食品３も立体物２と同様にＱ方向に揺動する。さらに立体物２の揺動が大きくなるとＬ方向にも揺動する。また、吊り下げる食品の重量や、吊り下げ位置を他の突起部に変えたり、吊り下げ装飾部１３ａ、１３ｂの突起部２１の位置を非対称にすると、立体物２に力を加えなくとも立体物２を揺動させることができる。
【００４９】
以上のように、本発明の組合せ食品は、展開シートから立体物を組み立てる、組み立てた該立体物に懸下部を有する食品を吊り下げ装飾するという動作によって工作的に楽しむことができる。また、吊り下げ装飾する際、懸下部を有する食品の吊り下げや取り外しを容易に繰り返し行うことができる。さらに、展開シートから組み立てられた立体物が、少しの力を加えるだけでゆりかごのように揺動し、該立体物の揺動に連動して吊り下げ装飾された食品もまた揺動することにより、両者の揺動を視覚的に楽しむことができ、遊戯性の高い組合せ食品とすることができる。
【００５０】
また、上述した通り、懸下部を有する食品の形状を、展開シートの吊り下げ装飾部の描画に合わせたものを用いると、吊り下げ装飾部の描画と吊り下げ装飾された食品による一体感により、より顕著に揺動を視覚的に楽しむことができる点で好適である。
【実施例】
【００５１】
以下、本発明を実施例に基づき具体的に説明する。
＜実施例１＞
≪懸下部を有する食品の調製≫
ゼラチン及び水を除く表１に示す成分をニーダーに投入し、５５℃になるまで加温した。次に予め水で膨潤したゼラチンを加え攪拌混合し、ソフトキャンディ生地を得た。次いで、得られたソフトキャンディ生地を、特開２０１３−７４８７４号公報の粘弾性食品片集合体の製造装置を用いて、図２の懸下部を有する食品３のような、サルの尾の部分が輪形状を有するソフトキャンディに成形した。次に、得られたソフトキャンディ８個をアルミ蒸着包装体に収容後密封した。
≪組合せ食品の調製≫
図１に示すような展開シート１及び上記包装したソフトキャンディを準備し、両者をひとつのポリエチレン袋に包装した。
【００５２】
【表１】
0006377478.tif 000002
【００５３】
上記のようにして得られた実施例１の組合せ食品について、５〜８歳の未就学から小学３年生の男女３０名（調査対象の男女３０名の横に各自保護者一人ずつが帯同）に、立体物の組み立て、吊り下げ修飾、揺動遊びを実施してもらい、各動作に対するアンケート調査を行った。また、その一連の動作における様子を観察した。
【００５４】
具体的な調査方法としては、以下のような組み立て方と遊び方の説明書と実施例１の組合せ食品とを、調査対象３０名の男女に渡し、まず、展開シートから立体物を組み立てさせた。次に、包装体からソフトキャンディを取り出し、組み立てた立体物に自由に吊り下げ装飾させた。次に自由に揺動遊びをさせた。
【００５５】
≪説明書≫
＜組み立て方＞
・  本体部と脚部とを切り離そう
・  突起部を折り上げよう
・  本体部や脚部の山折り線を折り、底部にある切込み同士を差し込もう
・  本体部の切込みに、脚部の差込み部を差し込もう
＜遊び方−ひとりで＞
いくつのキャンディをぶらさげられるかな
＜遊び方−ふたりで・みんなで＞
・  順番に、立体物にキャンディをぶらさげよう
・  立体物を倒さずに、最後までぶら下げた人の勝ち！
【００５６】
その結果、調査対象３０名の全てが、迷うことなく短時間で展開シート１から立体物２を組み立てることができた。この組み立てる動作に対し調査対象の９０％が楽しいと回答した。
【００５７】
また、吊り下げ装飾する動作については、図２のようにひとつの突起部にソフトキャンディ１個を吊り下げ装飾したり、ほかには、複数の突起部にソフトキャンディをそれぞれ１個ずつ吊り下げ装飾したり、ひとつの突起部に２個のソフトキャンディを吊り下げ装飾したりと、吊り下げや取り外しを繰り返し行って、各自が自由に吊り下げ装飾を楽しむ様子が観察された。
【００５８】
各自で吊り下げ装飾した後には、吊り下げ装飾部１３ａ又は１３ｂの一方を人差し指で少し押すと、立体物２がＱ方向に揺動を始め、この揺動する立体物２に連動してソフトキャンディもＱ方向に揺動した。さらに強く押して立体物２を大きく揺動させると、ソフトキャンディはＬ方向にも揺動した。ソフトキャンディが揺動し始めると、その様子を眼で追うように見つめ、視覚的に楽しんでいることが伺えた。また、アンケートでは、立体物が揺れてドキドキしたという回答が得られた。
【００５９】
また、保護者と一緒に遊ぶ様子も見られ、立体物に交互にソフトキャンディを吊り下げ、吊り下げ時の反動による揺動状態やソフトキャンディの重みから、立体物がさらに大きく揺動し、ソフトキャンディが落下したり、バランスを崩して立体物が倒れたりしたときは、大きな歓声が上がり、様々な楽しみ方があることが伺えた。
最後には、保護者と一緒に楽しそうにソフトキャンディを喫食していた。
【符号の説明】
【００６０】
１    展開シート
２    立体物
３    懸下部を有する食品
１１    本体部
１２    脚部
１３    吊り下げ装飾部
１４    底部
２１    突起部
２２    差込み保持部
２３    差込み部
Ｐ    略円弧状の辺
【図１】
0006377478.tif 000003
【図２】
0006377478.tif 000004